(57)【特許請求の範囲】
【請求項１】
放射線被ばく量検知材が、格子状または縞状に分画されつつ、放射線被ばく量を検知すべき患者の身体部位に合わせて衣服生地へ付されており、
前記身体部位に合わせるために前記衣服生地へ刻み込まれている複数のノッチと、前記身体部位に合わせるために前記衣服生地に現れている複数のラインとの少なくとも何れかである着衣位置決めマークが、付され、前記分画された画分ごとに、前記患者の照射位置における皮膚での放射線被ばく量及び位置を識別するための文字、数字、記号、及び模様から選ばれる固有の識別符号が付されていることを特徴とする放射線被ばく管理衣服。
【請求項２】
ベスト、長袖着、または浴衣であることを特徴とする請求項１に記載の放射線被ばく管理衣服。
【請求項３】
一枚布の前記衣服生地からなる前合わせの前記ベストであって、その前合わせ部と肩口部とに着脱留具が付されていることを特徴とする請求項２に記載の放射線被ばく管理衣服。
【請求項４】
前記衣服生地が、前記着衣位置決めマークによる位置決めのずれない難伸縮性の天然繊維製または合成樹脂製の素材であることを特徴とする請求項１に記載の放射線被ばく管理衣服。
【請求項５】
放射線被ばく回避位置指示マークが付されていることを特徴とする請求項１に記載の放射線被ばく管理衣服。
【請求項６】
前記複数のラインが肩から腕の付け根に合わせられ、前記複数のノッチが脊柱に沿うように合わせられて、夫々付されていることを特徴とする請求項１に記載の放射線被ばく管理衣服。
【発明の詳細な説明】
【技術分野】
【０００１】
本発明は、放射線診療が施される患者や放射線照射を行なう作業者の安全性を確認するために用いられ、被ばくした線量や位置、被ばく回避位置を管理する放射線被ばく管理衣服に関する。
【背景技術】
【０００２】
Ｘ線のような放射線を用いた診療は、病変を的確に判断したり局所的に治療したりするものである。放射線診療には、悪性腫瘍病巣に体外から放射線を照射する放射線療法や、放射線画像誘導下の経皮的手技により比較的多量の放射線を背中側から照射する低侵襲性のインターベンショナル・ラジオロジー（Ｉｎｔｅｒｖｅｎｔｉｏｎａｌ  Ｒａｄｉｏｌｏｇｙ：ＩＶＲ）療法などの施術方法が行なわれている。
【０００３】
放射線診療の際、患者が過度に被ばくしたり放射線障害を引き起こしたりしないように、患者の特定な部位での被ばく線量を正確に検出したり予測したり、同一部位での過度の重複被ばくを回避したりして、被ばくを厳密に管理することが重要である。
【０００４】
被ばく線量を検出するのに半導体検出器やシンチレーション検出器等の放射線線量計を用いる方法が知られている。大掛りな放射線線量計ごと、患者の背中に取り付けたり、施術直後に全身麻酔されて未だ動けず仰向けで絶対安静の患者から取り外したりするのは、面倒である。
【０００５】
また、特許文献１に開示されているような色調の変化によって被ばく量を表示する感放射線組成物やそれを塗布したシートを用いる方法も知られている。それらを予め患者の被ばく予想位置に塗布したり貼付したりするのは、煩雑である。さらに、患者の体表の凹凸に合わせて正確な被ばく線量を広範囲にわたって検出したり、放射線診療が繰り返される際に最も注意して管理すべき患者の照射位置近傍の皮膚の特定位置への累積被ばく量を正確かつ厳密に検出したりするのは、困難である。
【０００６】
【特許文献１】特表２００５−５０２０５１号公報
【発明の開示】
【発明が解決しようとする課題】
【０００７】
本発明は前記の課題を解決するためになされたもので、患者への放射線診療を施術する際に、簡便に着脱でき、身体の特定部位での単回施術または繰返し施術の累積の放射線被ばく量や被ばく位置を明瞭な色調の変化や数値で表示して正確に検知でき、過度の重複被ばくを回避して、被ばくを管理するための衣服を提供する。
【課題を解決するための手段】
【０００８】
前記の目的を達成するためになされた特許請求の範囲の請求項１に記載の放射線被ばく管理衣服は、放射線被ばく量検知材が、格子状または縞状に分画されつつ、放射線被ばく量を検知すべき患者の身体部位に合わせて衣服生地へ付されており、
前記身体部位に合わせるために前記衣服生地へ刻み込まれている複数のノッチと、前記身体部位に合わせるために前記衣服生地に現れている複数のラインとの少なくとも何れかである着衣位置決めマークが、付され、前記分画された画分ごとに、前記患者の照射位置における皮膚での放射線被ばく量及び位置を識別するための文字、数字、記号、及び模様から選ばれる固有の識別符号が付されていることを特徴とする。
【０００９】
放射線被ばく量検知材は、放射線呈色性組成物含有層を有する放射線被ばく量検知インジケータ、放射線被ばく量検知素子が挙げられる。
【００１０】
請求項２に記載の放射線被ばく管理衣服は、ベスト、長袖着、または浴衣であることを特徴とする。
【００１１】
請求項３に記載の放射線被ばく管理衣服は、一枚布の前記衣服生地からなる前合わせの前記ベストであって、その前合わせ部と肩口部とに着脱留具が付されていることを特徴とする。
【００１２】
請求項４に記載の放射線被ばく管理衣服は、前記衣服生地が、前記着衣位置決めマークによる位置決めのずれない難伸縮性の天然繊維製または合成樹脂製の素材であることを特徴とする。
【００１３】
この放射線被ばく管理衣服は、前記分画された画分ごとに、前記識別符号が付されている。
【００１４】
請求項５に記載の放射線被ばく管理衣服は、放射線被ばく回避位置指示マークが付されていることを特徴とする。
請求項６に記載の放射線被ばく管理衣服は、前記複数のラインが肩から腕の付け根に合わせられ、前記複数のノッチが脊柱に沿うように合わせられて、夫々付されていることを特徴とする。
【発明の効果】
【００１５】
本発明の放射線被ばく管理衣服は、患者の体表、特に管理すべき患者の照射位置近傍の皮膚での放射線被ばく量や位置を正確に検知することができる。また、繰り返して放射線診療等を施す際に、その累積的な放射線被ばく量や位置を正確かつ簡便に検知することができ、さらに患者等の体表の立体的な特定部位での放射線被ばく量を集計してデータ管理することができる。このデータに基づき、放射線診療の際に懸念される同一部位への被ばく量を低減することができる。
【００１６】
この衣服は、面ファスナー等の着脱留具で留めることにより、放射線診療等の際の患者や作業者が、簡便に着衣できるものである。その身体にフィットし、診療中に身体からずれない。しかも体型が異なる如何なる患者にも用いることができ、患者の所期の位置へこの衣服を着衣させることができる。また繰り返して放射線診療等を施す際に、この衣服を同じ位置へ着衣できる。診療等の終了後、簡便に脱衣できる。
【発明を実施するための最良の形態】
【００１７】
以下、本発明の実施例を詳細に説明するが、本発明の範囲はこれらの実施例に限定されるものではない。
【００１８】
実施例に対応する図１を参照しながら、放射線被ばく管理衣服１を説明する。
【００１９】
図１は広げた放射線被ばく管理衣服１の背面図である。放射線被ばく管理衣服１は、正面側で矢印方向に曲げて患者に羽織らせる前合わせのベストであって、それを構成する吸水性の一枚布で横長の略長方形の衣服生地からできている。
【００２０】
放射線被ばく量を検知すべき患者の背中に合わせて、生地の背面側の略中央に、放射線被ばく量検知材として、放射線組成物含有インキ層を有する放射線被ばく量検知インジケータ１１が、付されている。放射線組成物含有インキ層は、ハロゲン基とアセタール基との少なくともいずれかの基および水酸基を有する高分子化合物と、呈色性の電子供与体有機化合物と、被ばく線量に応じて前記電子供与体有機化合物を呈色させる活性種生成有機化合物と、放射線吸収剤および／または放射線蛍光剤とを含む組成物が印刷されたものである。インジケータ１１の放射線組成物含有インキ層上に、縦横７列ずつの格子状に分画する格子線と、分画された画分１２ごとの固有な識別符号「Ａ１・・・Ａ７」ないし「Ｇ１・・・Ｇ７」とが印刷されている。
【００２１】
なお、インジケータ１１は、患者の首、肩、胸、腹、横腹、臀部、脇、腕、または脚の部位に対応させて、生地の背面側の任意の場所に、付されていてもよい。
【００２２】
生地の一方の長辺の中程で、略半月状に切リ込まれた背中側首周り部２１が形成されている。その中央で、Ｖ字型の着衣位置決めマークであるノッチ２２が刻み込まれている。この長辺の両端近傍が略四半の円弧状に切り込まれて胸側首周り部２７を形成している。
【００２３】
背中側首周り部２１と、胸側首周り部２７との中程で、楕円状に切り込まれた脇部２５が形成されている。首周り部２１・２７と脇部２５との間で、背中側肩口部２３と、胸側肩口部２６とを形成している。背中側肩口部２３は、二点破線で示すループ型突起付き面ファスナー１３ｂを正面側に有し、着衣位置決めマークであるライン２４を背面側に有している。胸側肩口部２６は、フック型突起付き面ファスナー１３ａを背面側に有している。
【００２４】
生地の他方の長辺の中程で、Ｖ字型の着衣位置決めマークであるノッチ２９が、刻み込まれている。
【００２５】
生地の一方の短辺で、フック型突起付き面ファスナー１４ａを背面側に有する前合わせ部が形成され、他方の短辺で、二点破線で示すループ型突起付き面ファスナー１４ｂを正面側に有する前合わせ部が形成されている。
【００２６】
面ファスナー１３ａおよび１３ｂの対と、１４ａおよび１４ｂの対とで夫々一組の着脱留具を成している。
【００２７】
放射線被ばく管理衣服１は、以下のようにして使用される。
【００２８】
図２に示すように、放射線被ばく量インジケータ１１を外向きにして、面ファスナー１３ａと１３ｂとを絡ませ肩口部２３・２６を閉じて、ベストの形状にする。これを患者に羽織らせる。着衣位置決めマークライン２４を患者の両腕の付け根に合わせ、次いで着衣位置決めマークノッチ２２を患者の首の付け根に合わせ、さらにノッチ２２および２９を繋ぐ線上に患者の脊柱が沿うように合わせて、患者と放射線被ばく管理衣服１との相互の位置を調整する。最後に調整した位置がずれず、患者の身体に放射線被ばく管理衣服１がぴったりフィットするよう確認しながら、面ファスナー１４ａと１４ｂとを絡ませる。患者を放射線診療施術台に、仰向けで横たえる。
【００２９】
施術台の下に設けられた放射線照射装置（不図示）から、患者へ向けて放射線を照射する。すると、放射線の被ばく量に応じて、インジケータ１１の各分画１２の色調が、変化する。
【００３０】
施術後、面ファスナー１３ａと１３ｂ、１４ａと１４ｂを夫々剥がし、患者を僅かに持ち上げつつ、放射線被ばく管理衣服１を引抜く。
【００３１】
インジケータ１１の色調を目視により観察し、各画分１２の色調と放射線被ばく量に応じた標準色とを比較して放射線被ばく量を検知する。また必要に応じ、インジケータ１１を色差計で測定し、各画分の色差と放射線被ばく量に応じて予め被ばくさせた別なインジケータの色差とを比較して放射線被ばく量を検知してもよい。インジケータ１１の画分１２ごとに示される被ばく量と識別符号とをカルテに書き込んだ後、放射線被ばく管理衣服１を冷暗所で保管する。
【００３２】
この患者に再び放射線診療を施す際、この放射線被ばく管理衣服１を同様に羽織らせ、放射線を照射すると、累積的な被ばく量に応じて、インジケータ１１の各分画１２の色調が、変化する。
【００３３】
この放射線被ばく管理衣服１の呈色のメカニズムは以下のように推察される。まずインジケータ１１中の放射線吸収剤が、インジケータに照射された放射線を吸収・散乱し、光電効果、コンプトン効果、電子を放出した電子対生成の現象を起こす。放射線励起蛍光剤でも同様な現象とともに蛍光リン光発光現象を起こす。これら現象により活性種生成有機化合物から電子受容性を有する活性種が生成され、混在している呈色性の電子供与体有機化合物の電荷移動を誘発する。すると電子供与体化合物は、その電子密度が変化するため呈色し、これによりインジケータ１１が変色する。
【００３４】
この呈色したインジケータ１１は、退色せず、色相が変化しないため、被ばく線量を示す証拠として、長期間保存できる。そのメカニズムの詳細は不明だが、高分子化合物の水酸基が放射線照射によって水素イオン等の電子受容体を生じさせ、呈色した電子供与体化合物等を安定化させるため、退色しなくなるものと考えられる。特に高分子化合物中の水酸基は、ハロゲン基またはアセタール基が共存することで、水素イオン等の電子受容体をより一層生成させ易くする。
【００３５】
このインジケータ１１は、０．０５〜２５，０００Ｇｙの広範囲の放射線被ばく量を表示でき、従来よりも低線量での変色が可能である。その詳細は不明であるが、高分子化合物が、呈色した電子供与体有機化合物等を安定化させ、また組成物中に比較的多量に含まれているため低被ばく線量でも明瞭な呈色を引き起こすためと考えられる。
【００３６】
放射線被ばく管理衣服１を構成する原材料の具体例は、以下の通りである。
【００３７】
生地は、術中の患者から発生する汗を吸収できる素材であり、患者の体表にフィットし、かつ施術する際の位置決めがずれないように伸縮し難い天然繊維製や合成樹脂製の素材、例えばガーゼのような織布、不織布が挙げられる。
【００３８】
留具は、放射線照射を阻害しない樹脂製、布製のもので、マジックテープ（株式会社クラレの登録商標）のような面ファスナー、スライドファスナー、ホック、ボタン、紐が好ましく、中でも患者の体型に応じて調整できる面ファスナーが一層好ましい。
【００３９】
放射線被ばく量検知材は、ＩＶＲ施術中の画像の妨げとならないものが好ましい。
【００４０】
その一例であるインジケータ１１は、放射線呈色性組成物をプラスチックフィルムや紙のような基材へ層状に印刷して、この基材を生地に貼付したものであってもよく、放射線呈色性組成物を生地に直接印刷したものであってもよい。画分１２は、格子線が印刷されることにより分画されていてもよく、隣り合う画分１２間が僅かに隙間を空けて格子状または縞状に並べられていてもよい。画分１２は、一辺０．５〜４０ｃｍ正方形、長方形、菱形または三角形で格子状に分画されたものであることが好ましく、０．５〜４０ｃｍの間隔で横縞状または縦縞状に分画されたものであってもよい。画分１２に付された識別符号は、文字、数字、記号、模様が印刷されたものであってもよい。格子線や識別符号を印刷するインキは、放射線照射を阻害しないものであれば特段限定されない。
【００４１】
インジケータ１１の画分１２や生地の任意の位置に、放射線被ばく回避位置指示マーク１５、例えば金属小片を取り付けてもよい。金属は放射線を吸収する。そのため、金属小片の取り付け位置では放射線被ばくが避けられる。また金属は、放射線による画像診断中、画像上に黒い陰として映る。そのため、放射線による画像誘導下に放射線を照射したり繰り返し放射線を照射したりする診療の際に、以前に照射した場所に金属小片を取り付けておき、この場所を回避して、放射線照射を行なえば、患者体表の同一部位での過度の放射線被ばくを避けることができる。
【００４２】
放射線呈色性組成物は、高分子化合物と、呈色性の電子供与体有機化合物と、活性種生成有機化合物と、放射線吸収剤および／または放射線蛍光剤とを含む組成物に代えて、ポリアセチレン化合物とジアリールエテン化合物とフルギド化合物との少なくともいずれかを含む組成物であってもよい。
【００４３】
前記高分子化合物が下記式（１）
【化１】
0004722675.tif 000002
【００４４】
（上記式中、Ｘはハロゲン原子、−Ｒ１は水素原子、シアノ基、アルキル基、アリール基、アルコキシ基、アルコキシカルボニル基、アセトキシ基のような脂肪族カルボニルオキシ基、カルボキシル基、アリールオキシ基、アラルキル基、またはアラルコシ基を示し、ｌ、ｍ、ｎは任意の比率。）で示される高分子化合物、および、下記式（２）
【００４５】
【化２】
0004722675.tif 000003
【００４６】
（上記式中、−Ｒ２および−Ｒ３は、同一または異なり、水素原子、シアノ基、アルキル基、アリール基、アルコキシ基、アルコキシカルボニル基、アセトキシ基のような脂肪族カルボニルオキシ基、カルボキシル基、アリールオキシ基、アラルキル基、またはアラルコシ基を示し、ｐ、ｑ、ｒは任意の比率。）で示される高分子化合物から選ばれるものであることが好ましい。これらの高分子化合物は、単独でも、複数混合して用いてもよいし、また他の高分子化合物を混合してもよい。
【００４７】
前記呈色性の電子供与体有機化合物は、通常無色または淡色で、ブレンステッド酸、ルイス酸等の活性種、すなわち電子受容体の作用で発色する性質を有するものである。具体的には、トリフェニルメタンフタリド類例えばクリスタルバイオレットラクトン、マラカイトグリーンラクトン；フルオラン類例えば３−ジエチルアミノベンゾ−α−フルオラン、３−ジエチルアミノ−７−クロロフルオラン、３−ジエチルアミノ−７−ジベンジルアミノフルオラン、３，６−ジメトキシフルオラン；フェノチアジン類例えば３，７−ビスジメチルアミノ−１０−（４’−アミノベンゾイル）フェノチアジン；インドリルフタリド類例えば３，３−ビス（１−エチル−２−メチルインドール−３−イル）フタリド、３，３−ビス（１−ｎ−ブチル−２−メチルインドール−３−イル）フタリド；ロイコオーラミン類例えばＮ−（２，３−ジクロロフェニル）ロイコオーラミン、Ｎ−フェニルオーラミン；ローダミンラクタム類例えばローダミン−β−ｏ−クロロアミノラクタム；ローダミンラクトン類例えばローダミン−β−ラクトン；インドリン類例えば２−（フェニルイミノエタンジリデン）−３，３’−ジメチルインドリン、ｐ−ニトロベンジルロイコメチレンブルー、ベンゾイルロイコメチレンブルー；トリアリールメタン類例えばビス（４−ジエチルアミノ−２−メチルフェニル）フェニルメタン、トリス（４−ジエチルアミノ−２−メチルフェニル）メタンが挙げられる。それらは、単独で用いられてもよく、複数種混合して用いられてもよい。
【００４８】
前記活性種生成有機化合物は、放射線の照射により不可逆的に活性種が生じるもので、ハロゲン基を有する化合物例えば四臭化炭素、トリブロモエタノール、トリブロモメチルフェニルスルホン等のハロゲン化アルキルやトリブロモメチル誘導体が挙げられる。
【００４９】
前記放射線吸収剤は、バリウム、イットリウム、銀、スズ、ハフニウム、タングステン、白金、金、鉛、ビスマス、ジルコニウム、ユウロピウム、セリウムの金属、および前記金属を含む化合物例えばそれらの金属の硫酸塩、炭酸塩、硝酸塩が挙げられる。それらは、単独で用いられてもよく、複数種混合して用いられてもよい。
【００５０】
前記放射線励起蛍光剤は、CaWO4、MgWO4、HfP207で示される塩、ZnS:Ag、ZnCdS:Ag、CsI:Na、CsI:Tl、BaSO4:Eu2+、Gd2O2S:Tb3+、La2O2S:Tb3+、Y2O2S:Tb3+、Y2SiO5:Ce、LaOBr:Tm3+、BaFCl:Eu2+、BaFBr:Eu2+で示される焼成物が挙げられる。ZnS:Agの焼成物は、硫化亜鉛を主成分とし、重金属賦活剤である銀を加えて焼成したものである。他の焼成物も同様にして得られる。それらは、単独で用いられてもよく、複数種混合して用いられてもよい。
【００５１】
放射線呈色性組成物は、高分子化合物５〜５０重量部と、呈色性の電子供与体有機化合物０．０１〜５０重量部と、活性種生成有機化合物０．１〜５０重量部と、放射線吸収剤や放射線励起蛍光剤０．１〜５００重量部とを含んでいることが好ましい。
【００５２】
放射線呈色性組成物は、物質の種類及び配合比を調整することにより、変色後の色相、色の濃淡及び変色速度の調節が可能である。
【００５３】
放射線呈色性組成物は、前記高分子化合物を溶剤に溶解させて媒体とし、インキや塗料にして用いてもよい。媒体は、高分子化合物５〜５０重量部に対し、溶剤５０〜９５重量部を含むことが好ましい。
【００５４】
溶剤としては、メタノール、エタノール、イソプロパノール、ブチルアルコール、ヘキシルアルコール、酢酸メチル、酢酸エチル、酢酸プロピル、酢酸イソブチル、酢酸ブチル、アセトン、２−ブタノン、シクロヘキサン、イソホロン、メチルエチルケトン、４−メチル−２−ペンタノン、エチルエーテル、イソプロピルエーテル、テトラヒドロフラン、ジオキサン、メチルセロソルブ、エチルセロソルブ、ブチルセロソルブ、２−へキサン、イソオクタン、ソルベントナフサ、メチレンクロライド、プロピレンクロライド、エチレンクロライド、クロロホルム、ジクロルエタン、１，１，２−トリクロルエタン、四塩化炭素、ベンゼン、トルエン、キシレン、クロルベンゼン、Ｎ，Ｎ−ジメチルホルムアミド、Ｎ−メチル−２−ピロリドン、ジメチルスルホキシド、酢酸から選ばれる少なくとも一種類の化合物が好ましい。これらの溶剤は、単独で用いてもよく、複数混合して用いてもよい。また、高分子化合物を溶解させる溶剤はすべて使用可能である。
【００５５】
放射線呈色性組成物は、消泡剤、界面活性剤、凝固剤のような添加剤を含んでいてもよい。
【００５６】
インジケータ１１は、透明または半透明の保護フィルム層で被覆されていてもよい。
【００５７】
保護フィルムは紫外線を遮断するためのもので、例えばポリイミド、ポリエチレンテレフタレート、ポリプロピレン、またはポリエステルのフィルム、およびこれらのフィルムに紫外線吸収剤を混入もしくは積層させたものが挙げられる。
【００５８】
インジケータ１１の傍に、前記インキ層の変色前または放射線被ばく量に応じた変色後の色相に近似する色素が付されていてもよい。
【００５９】
インジケータ１１の基材は、ポリエステル、ポリスチレン、ポリカーボネート、ポリエチレンテレフタレート、ポリイミド、ポリプロピレンの樹脂製または紙製であることが好ましい。
【００６０】
放射線呈色性組成物は、ポリアセチレン化合物やジアリールエテン化合物やフルギド化合物を含むものであってもよく、さらに縮合多環芳香族化合物を含むものであってもよい。
【００６１】
ポリアセチレン化合物として、例えば、ジアセチレン化合物、より具体的にはジアセチレン基を有するカルバゾール類が挙げられる。
【００６２】
ジアリールエテン化合物として、アルキル基やアルコキシ基やハロゲン基やアリール基やヘテロアリール基のような置換基で置換されていてもよいアリール基を１、２位に有するジアリールペルフルオロシクロペンテンで例示されるジアリールエテン類；アルキル基やアルコキシ基やハロゲン基やアリール基やヘテロアリール基のような置換基で置換されていてもよいヘテロアリール基を１、２位に有するジヘテロアリールペルフルオロシクロペンテン、より具体的には、１，２−ビス［２−メトキシ−５−フェニル−３−チエニル］ペルフルオロシクロペンテンのようなジヘテロアリールエテン類が挙げられる。
【００６３】
フルギド化合物として、ビスメチレン無水コハク酸類が挙げられる。
【００６４】
縮合多環芳香族化合物として、ナフタレン、アントラセン、フェナンスレン、フルオレン、ベンゾフラン、ベンゾフラン、ベンゾチオフェン、インドールが挙げられる。
【００６５】
放射線被ばく量検知材として、放射線被ばく量検知インジケータを用いた例を示したが、放射線を検知したり放射線線量を計測したりする線量計に用いられる放射線被ばく量検知素子を用いてもよい。放射線被ばく量検知インジケータと放射線被ばく量検知素子とを組み合わせて用いてもよい。放射線被ばく量検知材の形状は、シート状、カード状、チップ状、箱状の何れであってもよい。
【００６６】
放射線被ばく量検知素子の具体例は、次の通りである。例えば、放射線で被ばくしたガラスに紫外線を照射すると蛍光するというラジオフォトルミネセンス（ＲＰＬ：Radio Photo Luminescence ）現象を利用した蛍光ガラス線量計に用いられるガラスのようなＲＰＬ素子；固体の熱ルミネセンス現象を利用した熱ルミネセンス線量計（ＴＬＤ：Termo Luminescence Dosimeter)に用いられるＴＬＤ素子；放射線との相互作用によりそのエネルギーを蓄積した物質に光照射を加えると蛍光する光刺激ルミネセンス現象を利用した光刺激ルミネセンス線量計(ＯＳＬ：Optically Stimulated Luminescence Dosimeter）に用いられるＯＳＬ素子；フィルタ付きの写真フィルムが放射線で黒化する現象を利用した感放射線フィルムバッチ；放射線が絶縁性固体を通過する際に損傷させる現象を利用した固体飛跡検出器に用いられる絶縁性固体素子；予め電荷を充電した電離箱内に入射した放射線での電離作用によって放電する現象を利用した電離箱式線量計に用いられる電極素子；半導体の電離作用を利用した半導体検出器に用いられる半導体素子；イメージングプレートのような輝尽発光検出素子（ＩＰ素子）が挙げられる。
【実施例】
【００６７】
本発明を適用する放射線被ばく管理衣服を試作した例を以下に示す。
【００６８】
（実施例１）
高分子化合物である塩化ビニル・酢酸ビニル・ポリビニルアルコール共重合体を、溶剤であるトルエン／エタノール（１：１）に溶解させて２５％溶液の媒体を調製した。調製した媒体１００重量部に呈色性の電子供与体有機化合物として、フルオラン類である２−（２−クロロアニリノ）−６−ジブチルアミノフルオラン１０重量部、放射線活性剤としてトリブロモエタノール１０重量部、放射線吸収剤として酸化セリウム２０重量部を混合してインクとし、放射線照射量履歴インジケータ用組成物を得た。うら面に粘着剤が付されたポリエチレンフィルム製基材のおもて面に、得られた組成物を層状に塗布した後、乾燥し、被ばく線量検知インジケータを調製した。
【００６９】
図１に示すようにこのインジケータ１１を、衣服生地に貼付した。インジケータ１１の画分１２の一つに放射線被ばく回避位置指示マークである金属片１５を貼り付け、放射線被ばく管理衣服１を得た。
【００７０】
この衣類１の肩口部２３と２６とを夫々面ファスナーで閉じ、衣服１を患者に羽織らせた。着衣位置決めマーク２２・２４・２９で衣服１の位置を調整し、最後に前合わせ部２８・２９を面ファスナーで閉じ、数分で放射線照射診療の準備が完了した。金属片１５近傍を避けて、Ｘ線によるＩＶＲ施術を行なった。その後、面ファスナーを剥ぎ、患者を数センチ持ち上げて、衣服を引抜いて僅か数秒で取り外すことができた。
【００７１】
ＩＶＲ施術を行なうことにより放射線が照射された分画は、放射線被ばく量に応じて色調が黒っぽく変化していたが、金属片周辺の画分は色調が変色していなかった。
【００７２】
なお、放射線被ばく量検知インジケータに代えて、ＲＰＬ素子、ＴＬＤ素子、ＯＳＬ素子、感放射線フィルムバッチ、絶縁性固体素子、電極素子、半導体素子、ＩＰ素子のような放射線被ばく量検知素子を用いても、放射線被ばく量を、デジタル量、または色調の変化として、検知することができた。
【００７３】
また、Ｘ線の他、ガンマ線、中性子線、陽子線、重粒子線、電子線等の放射線を照射する放射線療法でも同様の結果が得られた。
【産業上の利用可能性】
【００７４】
放射線被ばく管理衣服は、放射線診療の際の患者や、放射線計測の際の作業者の放射線被ばく量を管理するために用いられる。
【図面の簡単な説明】
【００７５】
【図１】本発明を適用する放射線被ばく管理衣服の背面図である。
【００７６】
【図２】本発明を適用する放射線被ばく管理衣服の使用途中を正面側から示す概略図である。
【符号の説明】
【００７７】
１は放射線被ばく管理衣服、２は放射線照射装置、１１は放射線被ばく量検知材、１２は画分、１３ａ・１３ｂ・１４ａ・１４ｂは面ファスナー、１５は放射線被ばく回避位置指示マーク、２１は背中側首周り部、２２は着衣位置決めマークノッチ、２３は背中側肩口部、２４は着衣位置決めマークライン、２５は脇部、２６は胸側肩口部、２７は胸側首周り部、２８は前合わせ部、２９は着衣位置決めマークノッチである。
【図１】
0004722675.tif 000004
【図２】
0004722675.tif 000005